(57)【要約】      （修正有）【課題】ブックマークに登録した複数のウェブページを、スライドショーのように、簡易に表示、閲覧可能なブラウザ装置の提供。【解決手段】利用者がブックマーク２１として登録した複数のウェブページを、スライドショー開始ボタン２２あるいはスライドショー一時停止ボタン２３を操作することで、スライドショーとして切替えて表示する。スライドショーの表示順序や表示切替え時間は、スライドショー設定画面２４３で設定した値が用いられる。【選択図】図４
2011170826.tif 000002
【特許請求の範囲】
【請求項１】
インターネット上のウェブページを閲覧でき、利用者が気に入ったウェブページのＵＲＬを複数記憶できるブックマーク記憶部を備えたブラウザにおいて、利用者から該ブックマーク記憶部に記憶されたＵＲＬのウェブページをスライドショー的に表示する時の表示切替え時間、前記ブックマーク記憶部に記憶されたＵＲＬのウェブページの表示順位を指定する昇順、降順、ランダムなどが指示・設定できるスライドショー設定部と、ウェブページをスライドショー的に表示することの開始を指示するスライドショー開始アイコンと、該スライドショーを停止することを指示するスライドショー一時停止アイコンを設け、利用者が前記スライドショー開始アイコンをクリックした時点で前記ブックマーク記憶部に記憶された複数のＵＲＬのウェブページを、前記スライドショー設定部で指示・設定された表示切替え時間と表示順位の情報に従って切替え表示することによって気に入ったウェブページをスライドショー的に閲覧できると共に、利用者が操作したいウェブページが表示された時点で前記スライドショー一時停止アイコンをクリックすることによってスライドショー的表示を一時停止して該ウェブページへの操作開始を可能とし、終了時には前記スライドショー開始アイコンをクリックすることによってスライドショー的表示の再開を可能としたことを特徴とするブラウザ。
【請求項２】
利用者が気に入ったウェブページのＵＲＬを複数記憶できるブックマーク記憶部にスライドショー的に表示したいウェブページのＵＲＬを記憶できるスライドショー表示用ファイルを予め設け、該スライドショー表示用ファイルに記憶された複数のＵＲＬのウェブページを前記スライドショー設定部で指示・設定された表示切替え時間と表示順位の情報に従ってスライドショー的表示を可能としたことを特徴とする請求項１記載のブラウザ。
【請求項３】
利用者が気に入ったウェブページのＵＲＬを複数記憶できるブックマーク記憶部にスライドショー的に表示したいウェブページのＵＲＬを記憶できるスライドショー表示用ファイルを予め設けると共に、前記スライドショー設定部でスライドショー的表示の対象を前記ブックマーク記憶部または前記スライドショー表示用ファイル単独か、いずれかを選択指示できる情報設定項目を設け、該スライドショー設定部で利用者から指示された前記ブックマーク記憶部または前記スライドショー表示用ファイルに記憶された複数のＵＲＬのウェブページをスライドショー的に表示可能としたことを特徴とする請求項１記載のブラウザ。
【発明の詳細な説明】
【技術分野】
【０００１】  本発明は、利用者のお気に入りの複数のＵＲＬのウェブページに順次アクセスし、該ウェブページを一定時間順次表示することによって、複数のウェブページをスライドショー的に順次表示、閲覧できるようにしたブラウザに関するものである。
【背景技術】
【０００２】  従来のブラウザでは、利用者の気に入ったウェブページのＵＲＬはブックマーク（ブラウザではブックマーク、またはお気に入りなどと称される）記憶部に記憶させることができ、該ＵＲＬをクリックすることでウェブページを表示する機能を有しているが、該ブックマーク記憶部の複数のＵＲＬのウェブページをスライドショー的に順次表示する機能は備えてない。【０００３】  またタブブラウザでは、利用者の操作によってウェブページを表示するタブを複数作成でき、ウェブページをタブとして記憶できる。タブが作成されたことは、例えばウェブページ表示画面の上にタブアイコンとして表示される。作成されたタブアイコンを利用者が操作することによって該タブに記憶されたウェブページを表示することができる。しかし複数のタブで記憶された複数ウェブページを利用者の操作によってスライドショー的に順次表示する機能は設けられていない。【０００４】  また従来のブラウザのインタフェースに、複数のＵＲＬのＨＴＭＬで記述された表示内容を画像化して、スライドショウー的に表示するソフトを追加するものがある（特許公開２００１−１９５３３８）が、これではＨＴＭＬの表示内容を画像化するためＨＴＭＬが本来備えているリンク機能、動的コンテンツの表示機能などが失われるということがあった。【０００５】  また、サーバー側から複数のＵＲＬリストと、該ＵＲＬリストに基づいてブラウザにウェブページにアクセスさせ該ウェブページを順次表示させるプログラムを、いずれのブラウザでも実行できるアプレットとしてダウンロードして、複数のウェブページをスライドショー的に表示するものがある（特許公開２００２−２４２８８）が、これは単一のウェブページを表示する従来のブラウザを前提にしているため、順次表示させるためのＵＲＬリストをサーバー側で作成すること、該ＵＲＬリストと前記アプレットをダウンロードしなければならないこと、さらにアプレットを実行させることが必要であった。【０００６】  また、インターネット上で利用される技術の標準化を進めている団体であるＷ３Ｃ（Ｗｏｒｌｄ  Ｗｉｄｅ  Ｗｅｂ  Ｃｏｎｓｏｒｔｉｕｍ）では、ＨＴＭＬで記述されるウェブページの情報にスライドショー的に表示できるようにするためのスクリプトの例を公開している。しかし、この方法でウェブページをスライドショー的に表示するようにするためには予め該ウェブページに前記スクリプトを埋め込むことが必要であり、さらにスライドショー的に表示できるウェブページは同一ドメインに限られ、任意のドメインのウェブページのスライドショー的表示は不可能である。
【発明の開示】
【発明が解決しようとする課題】
【０００７】  従来のブラウザでは前述（［０００２］）のように一連の複数のＵＲＬにアクセスして該ウェブページをスライドショー的に連続して表示できる機能は備えていない。またタブブラウザの場合にも、前述（［０００３］）のようにタブ群をもとに複数のＵＲＬにアクセスしてウェブページを一連の画面としてスライドショー的に表示する機能は備えていない。【０００８】  また従来のブラウザやタブブラウザで複数のウェブページをスライドショー的に表示させるためにはブラウザ側ではなく、ウェブページが置かれているサーバーで、複数のＨＴＭＬを連続表示させるプログラムを用意・実行させることが必要であり、スライドショー的表示を行う度に処理時間を要す欠点がある。またスライドショー的に表示させるウェブページが該サーバーの管理外のドメインのウェブページの場合は、他者のサーバーで上記プログラムを実行させることが必要であり事実上不可能である。さらに、スライドショー的表示の一時停止や再開および表示切替え順位、表示切替え時間の変更には、上記プログラムの変更が必須であり、前記サーバー設置者にサーバークアクセス権を与えなければならず、セキュリティ上不可能である。また上記プログラムが変更できたとしても、表示切替え順位、表示切替え時間の変更内容は全てのブラウザ利用者に波及してしまい個別利用者ごとの変更はできないという欠点があった。【０００９】  また、［０００５］で述べたように特許公開２００２−２４２８８では従来のブラウザにサーバー側から複数のＵＲＬリストと該ＵＲＬリストに基づいてブラウザでウェブページにアクセスさせ該ウェブページを順次表示させるプログラムをダウンロードして、ＵＲＬリストで指定された複数のウェブページをスライドショー的に表示する機能を実現しているが、ＵＲＬリストのサーバー側での作成、該ＵＲＬリストと前記アプレットのダウンロード、アプレットの実行などが、利用者がスライドショーで閲覧を希望する毎に常に必要であり、この処理時間の解決が必要である。【００１０】  本発明は、ブラウザに備わった、お気に入りのウェブページを記憶できるブックマーク記憶部に記憶された複数のＵＲＬに、新に設けスライドショー設定部で指示・設定される表示順や表示切替え時間にしたがって順次アクセスし、該ＵＲＬのウェブページを一定時間順次表示することによって、複数のウェブページをスライドショー的に表示、閲覧できるようにしたブラウザに関するものである。
【課題を解決するための手段】
【００１１】  本発明は上記目的を達成するために、利用者のお気に入りのウェブページのＵＲＬを複数記憶できるブックマーク記憶部を備えたブラウザに、利用者から該ブックマーク記憶部に記憶された複数のＵＲＬのウェブページをスライドショー的に表示する時の表示切替え時間、前記ブックマーク記憶部に記憶されたウェブページの表示順位を指定する昇順、降順、ランダムなどの情報が入力できるスライドショー設定部と、ウェブページをスライドショー的に表示することの開始を指示するスライドショー開始アイコンと、該スライドショーを一時停止することを指示するスライドショー一時停止アイコンを設け、利用者によって前記スライドショー開始アイコンがクリックされた時点で、前記ブックマーク記憶部に記憶された複数のＵＲＬのウェブページを、前記スライドショー設定部で指示・設定された表示切替え時間と表示順位の情報に従って切替え表示することによって、利用者のお気に入りのウェブページをスライドショー的に表示できるようにすると共に、利用者が操作したいウェブページが表示された時点で前記スライドショー一時停止アイコンをクリックすることによってスライドショー的表示を一時停止して該ウェブページへの操作開始を可能とし、終了時には前記スライドショー開始アイコンをクリックすることによってスライドショー的表示の再開を可能とする。
【発明の効果】
【００１２】  上述のように本発明のブラウザは、ブラウザ単独で利用者のお気に入りの複数のウェブページをスライドショー的に表示できると共に、該表示を一時停止することによって従来のウェブページに対する操作と同一の操作が可能な環境を提供することができる。
【発明を実施するための最良の形態】
【００１３】  以下、本発明の実施例を図１〜図４に基づいて説明する。【００１４】  図１の１はパソコン、１１はパソコン１の入力部、１２はパソコン１の表示部、１３はパソコン１内のブラウザ、２はインターネット、３はインターネット上のウェブサイト群、３１、３２、３３は個々のウェブサイトａ、ｂ、ｃである。図２、図３、図４は表示部２に表示されるアイコン類を表示した図であり、２１はブラウザ１３のブックマーク記憶部のブックマークアイコン、２２はスライドショーの開始を指示するスライドショー開始アイコン、２３はスライドショーの一時停止を指示するスライドショー一次停止アイコン、２４はブラウザ１３のツール類のツールアイコン、２１１はブックマークアイコン２１がクリックされた時に表示される、複数のＵＲＬを記憶するブックマーク記憶部、２１２〜２１３は各々は複数のウェブサイトａ３１、ｂ３２、ｃ３３のＵＲＬのａａａ、ｂｂｂ、ｃｃｃである。図３の２４１はツールアイコン２４がクリックされた時に表示するツールメニュー、２４２はツールメニュー２４１の一つであるスライドショー設定のメニューである。図４の２４３はツールメニュー２４１の一つのメニューのスライドショー設定２４２がクリックされた時に表示する、スライドショーの表示条件である表示切替え時間や表示順位などを指示・設定するスライドショー設定画面である。【００１５】  本発明の動作を次に説明する。まず利用者がパソコン１のブラウザ１３を立ち上げ、入力部１１を操作してブックマークアイコン２１のブックマーク記憶部２１１に、気に入ったウェブページのＵＲＬのａａａ２１２、ｂｂｂ２１３、ｃｃｃ２１４を入力したとする。その後、利用者によってブックマーク記憶部２１１に記憶されたＵＲＬをスライドショー的に表示するためのツールアイコン２４がクリックされると、ブラウザ１３は図３のツールメニュー２４１を表示する。つづいて該ツールメニュー２４１のスライドショー設定メニュー２４２が利用者によってクリックされると、ブラウザ１３はウェブページの表示切替え時間および表示順位などの表示条件が指示・設定できるスライドショー設定画面２４３を表示する。該スライドショー設定画面２４３にしたがって利用者が表示切替え時間は５秒、表示順位は昇順に指示・設定したとする。【００１６】  以上の条件で、利用者によって図２のスライドショー開始アイコン２２がクリックされると、ブラウザ１３はブックマーク記憶部２１１に記憶されているＵＲＬをスライドショー設定画面２４３で指示設定された表示順位である昇順で、まずＵＲＬのａａａ２１２を読み出し、インターネット２を介してａａａ２１２のＵＲＬのウェブサイト３１にアクセスして該当するＨＴＭＬで記述されたウェブページの情報を受け取り、該ウェブページをスライドショー設定画面２４３の表示切替え時間で指定された５秒間、表示部１２に表示する。【００１７】  つづいてブラウザ１３はブックマーク記憶部２１１に記憶されているＵＲＬのｂｂｂ２１３を読み出してインターネット２を介してｂｂｂ２１３のＵＲＬのウェブサイト３２にアクセスして該当するＨＴＭＬで記述されたウェブページの情報を受け取り、該ウェブページをスライドショー設定画面��４３の表示切替え時間で指示・設定された５秒間、表示部１２に表示する。【００１８】  以上のようにブラウザ１３はブックマーク記憶部２１１に記憶されているＵＲＬ分繰り返してウェブページをスライドショー的に表示する。その後利用者によって一時停止アイコン２３がクリックされるまで、再びａａａ２１２のＵＲＬから処理を繰り返えし、スライドショー的表示を継続する。【００１９】  その後、利用者によって図２のスライドショー一時停止アイコン２３がクリックされると、ブラウザ１３はウェブページのスライドショー的表示を一時停止して、利用者に該ウェブページの操作ができる状態にする。このことによって利用者がウェブページを操作することが可能となる。【００２０】  その後、利用者によって入力部１０からスライドショー開始アイコン２２がクリックされると、ブラウザ１１は一時停止したウェブページの次のウェブページからスライドショー的表示を再開する。【００２１】  以上が動作説明である。【００２２】  以上のようにブラウザ１３で処理することによって、同一ドメインのウェブページであっても、また異なるドメインのウェブページであってもブックマーク記憶部２１１に記憶されたＵＲＬのウェブページをスライドショー的に表示することができる。【００２３】  また前述の実施例の動作説明では、スライドショー的に表示するウェブページのＵＲＬはブックマーク記憶部２１１に記憶されたＵＲＬとして説明してきたが、ブックマーク記憶部２１１に利用者がスライドショー的に表示したいウェブページのＵＲＬを記憶できるスライドショーファイル２４４をブラウザ１３に図５に示したように予め設け、該スライドショーファイル２４４に記憶された複数のＵＲＬのａａａ、ｂｂｂ、ｙｙｙ、ｃｃｃのウェブページ群２４５を、前述と同様にスライドショー設定画面２４３で指示・設定された表示条件にしたがって表示することによって、ウェブページをスライドショー的に表示することができる。【００２４】  また、今までの実施例の説明では、スライドショー的に表示するウェブページのＵＲＬはブックマーク記憶部２１１に記憶されたＵＲＬ、またはブックマーク記憶部２１１内にスライドショー的に表示するウェブページのＵＲＬが記憶できるスライドショーファイル２４４を予め設け、スライドショー的に表示する場合の実施例を説明してきたが、ブックマーク記憶部２１１にスライドショーファイル２４４を設け、ブックマーク記憶部２１１およびスライドショーファイル２４４のいずれかのＵＲＬのウェブページをスライドショー的表示するかを選択指示・設定できる図７のファイル選択可能なスライドショー設定画面２４６を設け、前述の動作と同様に動作させることによって、ブックマーク記憶部２１１またはスライドショーファイル２４４のいずれかのウェブページをスライドショー的に表示することができる。
【図面の簡単な説明】
【００２５】
【図１】本発明のブラウザを説明するためのシステム構成例の図
【図２】同ブラウザのブックマークに記憶されたＵＲＬ例表示の図
【図３】同ブラウザのツールに設けたスライドショー設定メニュー例の表示の図
【図４】同ブラウザに設けたスライドショー設定画面例の表示の図
【図５】同ブラウザのブックマークに設けたスライドショーファイル例の表示の図
【図６】同ブラウザに設けたスライドショーファイルに記憶されたＵＲＬ例の表示の図
【図７】同ブラウザに設けたスライドショー設定画面にファイル指定項目を追加したことを示す図
【符号の説明】
【００２６】      １  パソコン
１１  入力部
１２  表示部
１３  ブラウザ
２  インターネット
２１  ブックマークアイコン
２２  スライドショー開始アイコン
２３  スライドショー一時停止アイコン
２４  ツールアイコン
２５  ウェブページ表示部
２１１  ブックマーク記憶部
２１２  ＵＲＬａａａ
２１３  ＵＲＬｂｂｂ
２１４  ＵＲＬｃｃｃ
２４１  ツールメニュー
２４２  スライドショー設定メニュー
２４３  スライドショー設定画面
２４４  スライドショーファイル
２４５  ウェブページ群
２４６  ファイル選択可能なスライドショー設定画面
３  ウェブサイト群
３１  ウェブサイトａ
３２  ウェブサイトｂ
３３  ウェブサイトｃ
【図１】
2011170826.tif 000003
【図２】
2011170826.tif 000004
【図３】
2011170826.tif 000005
【図４】
2011170826.tif 000006
【図５】
2011170826.tif 000007
【図６】
2011170826.tif 000008
【図７】
2011170826.tif 000009